【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
データを送信するための送信処理が実行可能な通信装置であって、
第１の画像に所定の処理を実行して第２の画像を生成させる画像処理の指示と、前記第２の画像を所定の宛先に送信する送信処理の指示と、を受け付ける受付手段と、
前記送信処理を、前記画像処理を行う画像処理装置に実行させるか否かを決定する決定手段と、
前記決定手段の決定に基づいて、前記画像処理装置に、前記画像処理の指示及び前記送信処理の指示をする、又は、前記送信処理の指示をせずに前記画像処理の指示をする指示手段と、
前記指示手段が前記画像処理装置に前記送信処理の指示をしないとき、前記画像処理装置から受信した前記第２の画像を用いて前記送信処理を実行する送信手段と、
を備えることを特徴とする通信装置。
【請求項２】
前記決定手段は、前記画像処理装置が前記送信処理を実行できないと判断される場合に、前記送信処理を前記画像処理装置に実行させないことを決定し、
前記指示手段は、前記送信処理を前記画像処理装置に実行させないことが決定された場合には、前記画像処理装置に、前記送信処理の指示をせずに前記画像処理の指示をすることを特徴とする請求項１に記載の通信装置。
【請求項３】
前記決定手段は、前記画像処理装置が前記所定の宛先にアクセスできない場合に前記画像処理装置が前記送信処理を実行できないと判断することを特徴とする請求項２に記載の通信装置。
【請求項４】
前記画像処理装置が保持する宛先の一覧を受信する受信手段をさらに備え、
前記決定手段は、前記所定の宛先が、前記受信手段が受信する宛先の一覧に含まれない場合に前記画像処理装置が前記送信処理を実行できないと判断することを特徴とする請求項２又は３に記載の通信装置。
【請求項５】
前記決定手段は、機器署名を行う設定がされている場合に、前記送信処理を前記画像処理装置に実行させないことを決定し、
前記指示手段は、前記送信処理を前記画像処理装置に実行させないことが決定された場合には、前記画像処理装置に、前記送信処理の指示をせずに前記画像処理の指示をすることを特徴とする請求項１乃至４のいずれか１項に記載の通信装置。
【請求項６】
前記第２の画像を表示する表示手段をさらに備え、
前記決定手段は、前記表示手段が前記第２の画像を表示する設定がある場合に、前記送信処理を前記画像処理装置に実行させないことを決定し、
前記指示手段は、前記送信処理を前記画像処理装置に実行させないことが決定された場合には、前記画像処理装置に、前記送信処理の指示をせずに前記画像処理の指示をすることを特徴とする請求項１乃至５のいずれか１項に記載の通信装置。
【請求項７】
画像処理装置と前記画像処理装置に指示を送信する通信装置とを備える画像処理システムであって、
前記通信装置において、入力された第１の画像に所定の処理を実行して第２の画像を生成させる画像処理の指示と、前記第２の画像を所定の宛先に送信する送信処理の指示と、を受け付ける受付手段と、
前記通信装置において、前記送信処理を前記画像処理装置に実行させるか否かを決定する決定手段と、
前記画像処理装置において、前記画像処理の指示に従い、前記第２の画像を生成する生成手段と、
前記決定手段が前記送信処理を前記画像処理装置に実行させる決定をしたとき、前記第２の画像を用いて前記画像処理装置で前記送信処理を実行する第１の送信手段と、
前記決定手段が前記送信処理を前記画像処理装置に実行させない決定をしたとき、前記画像処理装置から取得した前記第２の画像を用いて前記通信装置で前記送信処理を実行する第２の送信手段と、を備えることを特徴とする画像処理システム。
【請求項８】
データを送信するための送信処理が実行可能な通信装置における制御方法であって、
第１の画像に所定の処理を実行して第２の画像を生成させる画像処理の指示と、前記第２の画像を所定の宛先に送信する送信処理の指示と、を受け付ける受付ステップと、
前記送信処理を、前記画像処理を行う画像処理装置に実行させるか否かを決定する決定ステップと、
前記決定ステップでの決定に基づいて、前記画像処理装置に、前記画像処理の指示及び前記送信処理の指示をする、又は、前記送信処理の指示をせずに前記画像処理の指示をする指示ステップと、
前記指示ステップで前記画像処理装置に前記送信処理の指示がされないとき、前記画像処理装置から受信した前記第２の画像を用いて前記送信処理を実行する送信ステップと、
を有することを特徴とする制御方法。
【請求項９】
画像処理装置と前記画像処理装置に指示を送信する通信装置とを備える画像処理システムにおける制御方法であって、
前記通信装置において、入力された第１の画像に所定の処理を実行して第２の画像を生成させる画像処理の指示と、前記第２の画像を所定の宛先に送信する送信処理の指示と、を受け付ける受付ステップと、
前記通信装置において、前記送信処理を前記画像処理装置に実行させるか否かを決定する決定ステップと、
前記画像処理装置において、前記画像処理の指示に従い、前記第２の画像を生成する生成ステップと、
前記決定ステップで前記送信処理を前記画像処理装置に実行させる決定がされたとき、前記第２の画像を用いて前記画像処理装置で前記送信処理を実行する第１の送信ステップと、
前記決定ステップで前記送信処理を前記画像処理装置に実行させない決定がされたとき、前記画像処理装置から取得した前記第２の画像を用いて前記通信装置で前記送信処理を実行する第２の送信ステップと、
を有することを特徴とする制御方法。
【請求項１０】
第１の画像に所定の処理を実行して第２の画像を生成させる画像処理の指示と、前記第２の画像を所定の宛先に送信する送信処理の指示と、を受け付ける受付ステップと、
前記送信処理を、前記画像処理を行う画像処理装置に実行させるか否かを決定する決定ステップと、
前記決定ステップでの決定に基づいて、前記画像処理装置に、前記画像処理の指示及び前記送信処理の指示をする、又は、前記送信処理の指示をせずに前記画像処理の指示をする指示ステップと、
前記指示ステップで前記画像処理装置に前記送信処理の指示がされないとき、前記画像処理装置から受信した前記第２の画像を用いて前記送信処理を制御する送信ステップと、
をコンピュータに実行させるためのプログラム。
【手続補正２】
【補正対象書類名】明細書
【補正対象項目名】発明の名称
【補正方法】変更
【補正の内容】
【発明の名称】通信装置、画像処理システム、制御方法、及び、プログラム
【手続補正３】
【補正対象書類名】明細書
【補正対象項目名】０００１
【補正方法】変更
【補正の内容】
【０００１】
本発明は、通信装置、画像処理システム、制御方法、及び、プログラムに関する。
【手続補正４】
【補正対象書類名】明細書
【補正対象項目名】０００５
【補正方法】変更
【補正の内容】
【０００５】
本発明の通信装置は、データを送信するための送信処理が実行可能な通信装置であって、第１の画像に所定の処理を実行して第２の画像を生成させる画像処理の指示と、前記第２の画像を所定の宛先に送信する送信処理の指示と、を受け付ける受付手段と、前記送信処理を、前記画像処理を行う画像処理装置に実行させるか否かを決定する決定手段と、前記決定手段の決定に基づいて、前記画像処理装置に、前記画像処理の指示及び前記送信処理の指示をする、又は、前記送信処理の指示をせずに前記画像処理の指示をする指示手段と、前記指示手段が前記画像処理装置に前記送信処理の指示をしないとき、前記画像処理装置から受信した前記第２の画像を用いて前記送信処理を実行する送信手段と、を備えることを特徴とする。